(57)【要約】      （修正有）【課題】就寝時、休憩時等において、後頭部、首部及び肩部全体への刺激付与を一度に行なって、血行促進、疲労回復、肩凝り解消を効果的に実現し得る肩当体付き枕を提供する。【解決手段】肩当体付き枕１は、使用者の後頭骨を含む後頭部及び頸椎を含む首部に刺激を与えるバイブレータを内装して仰臥状態で後頭部及び首部を当接させる枕本体２と、枕本体２から同一方向に突出配置するとともに、左右の肩甲骨及びその周辺の三角筋、広背筋、棘上筋、棘下筋等の筋肉類を含む肩部領域に刺激を与えるバイブレータを各々内装して各肩部領域に各々当接させる一対の肩当体６ａ、６ｂとを有するものである。【選択図】図１
0003149102.tif 000002
【実用新案登録請求の範囲】
【請求項１】
使用者の後頭骨を含む後頭部及び頸椎を含む首部に刺激を与える刺激体を内装して仰臥状態で後頭部及び首部を当接させる枕本体と、
前記枕本体から同一方向に突出配置するとともに、左右の肩甲骨及びその周辺の三角筋、広背筋、棘上筋、棘下筋等の筋肉類を含む肩部領域に刺激を与える肩部刺激体を各々内装して各肩部領域に各々当接させる一対の肩当体と、
を有すること特徴とする肩当体付き枕。
【請求項２】
使用者の後頭骨を含む後頭部及び頸椎を含む首部に刺激を与えるバイブレータを内装して仰臥状態で後頭部及び首部を当接させる枕本体と、
前記枕本体から同一方向に突出配置するとともに、左右の肩甲骨及びその周辺の三角筋、広背筋、棘上筋、棘下筋等の筋肉類を含む肩部領域に刺激を与えるバイブレータを各々内装して各肩部領域に各々当接させる一対の肩当体と、
を有すること特徴とする肩当体付き枕。
【請求項３】
使用者の後頭骨を含む後頭部及び頸椎を含む首部に刺激を与えるコイルバネ体を内装して仰臥状態で後頭部及び首部を当接させる枕本体と、
前記枕本体から同一方向に突出配置するとともに、左右の肩甲骨及びその周辺の三角筋、広背筋、棘上筋、棘下筋等の筋肉類を含む肩部領域に刺激を与えるコイルバネ体を各々内装して各肩部領域に各々当接させる一対の肩当体と、
を有すること特徴とする肩当体付き枕。
【請求項４】
使用者の後頭骨を含む後頭部及び頸椎を含む首部に刺激を与える炭体を内装して仰臥状態で後頭部及び首部を当接させる枕本体と、
前記枕本体から同一方向に突出配置するとともに、左右の肩甲骨及びその周辺の三角筋、広背筋、棘上筋、棘下筋等の筋肉類を含む肩部領域に刺激を与える炭体を各々内装して各肩部領域に各々当接させる一対の肩当体と、
を有すること特徴とする肩当体付き枕。
【考案の詳細な説明】
【技術分野】
【０００１】
本考案は、肩当体付き枕に関し、より詳しくは使用者の後頭部、首部に加え内部に肩甲骨等を有する肩部領域についても一度に刺激でき、疲労回復、肩凝り解消に有効な肩当体付き枕に関するものである。
【背景技術】
【０００２】
従来から、就寝時等において使用者（人体）の頭部、首部、更には肩部及びその周辺の血行を促進し、疲労回復、肩凝り解消等を図るべく種々の枕類、マッサージ装置類が提案され実用化されている。
【０００３】
特許文献１には、首部のマッサージ装置は、首部に圧接される首部押圧部材と、首部押圧部材が進退可能に載置される基台部材と、基台部材に沿って進退自在に載置され首部を押圧している人の肩部に当接する肩当り部と、肩当り部及び首部押圧部材を相互に弾性的に連結し相対移動させたときに弾性力を付与する弾性力付与部材とを備え、揉みや押圧動作を後頭部や首部の筋肉やツボ部に作用させる首部のマッサージ装置が開示されている（特許文献１、図７、図８）。
【０００４】
この特許文献１の首部のマッサージ装置の場合、後頭部のみ、首部のみ又は首部と肩部双方のいずれかの態様で揉みや押圧動作を実現するものであり、後頭部、首部及び肩部全体への刺激を一度に実行することはできないとともに、構成要素として複雑な機構部品の組み合わせを要するものである。
【０００５】
特許文献２には、人が側臥位で頭部を安定させた際に、使用者の首のつけ根に向けて斜めに突出する突部が形成されたこりほぐし器が提案されている。この特許文献１のこりほぐし器の場合、専ら使用者の首のつけ根部分への刺激を行なうものであり、後頭部、首部及び肩部全体への刺激を一度に実行することはできない。
【特許文献１】特開２００５−５８３４９号公報
【特許文献２】特開２００８−４３７０９号公報
【考案の開示】
【考案が解決しようとする課題】
【０００６】
本考案が解決しようとする問題点は、就寝時、休憩時等において、後頭部、首部及び肩部全体への刺激付与を一度に行なって、血行促進、疲労回復、肩凝り解消を効果的に実現し、かつ、全体として簡略構成からなる肩当体付き枕が存在しない点である。
【課題を解決するための手段】
【０００７】
本考案に係る肩当体付き枕は、使用者の後頭部及び首部に刺激を与える刺激体を内装して仰臥状態で後頭部及び首部を当接させる枕本体と、前記枕本体から同一方向に突出配置するとともに、左右の肩部領域に刺激を与える肩部刺激体を各々内装して各肩部領域に各々当接させる一対の肩当体と、を有することを最も主要な特徴とする。
【考案の効果】
【０００８】
請求項１記載の考案によれば、就寝時、休憩時等において、使用者の後頭部、首部及び左右の肩部領域への各刺激体による刺激付与を一度に行ない、血行促進、疲労回復、肩凝り解消を効果的に図ることができ、かつ、簡略構成で、安価に製造できる肩当体付き枕を提供することができる。
【０００９】
請求項２記載の考案によれば、就寝時、休憩時等において、使用者の後頭部、首部及び左右の肩部領域へのバイブレータによる刺激付与を一度に行ない、血行促進、疲労回復、肩凝り解消を効果的に図ることができ、かつ、簡略構成で、安価に製造できる肩当体付き枕を提供することができる。
【００１０】
請求項３記載の考案によれば、就寝時、休憩時等において、使用者の後頭部、首部及び左右の肩部領域へのコイルバネによる刺激付与を一度に行ない、血行促進、疲労回復、肩凝り解消を効果的に図ることができ、かつ、簡略構成で、安価に製造できる肩当体付き枕を提供することができる。
【００１１】
請求項４記載の考案によれば、就寝時、休憩時等において、使用者の後頭部、首部及び左右の肩部領域への炭体による刺激付与を一度に行ない、血行促進、疲労回復、肩凝り解消を効果的に図ることができ、かつ、簡略構成で、安価に製造できる肩当体付き枕を提供することができる。
【考案を実施するための最良の形態】
【００１２】
本考案は、就寝時、休憩時等において、後頭部、首部及び肩部全体への刺激付与を一度に行なって、血行促進、疲労回復、肩凝り解消を効果的に実現し、かつ、全体として簡略構成からなる肩当体付き枕を提供するという目的を有する。
【００１３】
本考案に係る肩当体付き枕は、使用者の後頭骨を含む後頭部及び頸椎を含む首部に刺激を与えるバイブレータを内装して仰臥状態で後頭部及び首部を当接させる枕本体と、前記枕本体から同一方向に突出配置するとともに、左右の肩甲骨及びその周辺の三角筋、広背筋、棘上筋、棘下筋等の筋肉類を含む肩部領域に刺激を与えるバイブレータを各々内装して各肩部領域に各々当接させる一対の肩当体とを有する構成により、上記目的を実現した。
【実施例】
【００１４】
以下に、本考案の実施例に係る肩当体付き枕について図面を参照して詳細に説明する。
【００１５】
（実施例１）
図１乃至図４を参照して本考案の実施例１に係る肩当体付き枕１について説明する。
【００１６】
本実施例１に係る肩当体付き枕１は、図１、図２、図３に示すように、使用者Ｍが仰臥状態においてその頭部３における後頭骨を含む後頭部４及び頸椎を含む首部５を上側から当接させる枕本体２と、前記枕本体２の一辺から同一方向に突出配置し、使用者Ｍの左右の各肩部領域１３に各々当接させる左右一対の肩当体６ａ、６ｂと、を有している。
【００１７】
前記枕本体２は、布材からなる外被７内にウレタン材等からなる内装材８を内装した通常の枕形状に形成されているとともに、その内部に刺激体である例えば２個のバイブレータ９、１０を使用者Ｍの後頭部４及び首部５に対応する配置で内装している。
【００１８】
上述した左右一対の肩当体６ａ、６ｂのうちの左側の肩当体６ａは、図１、図３に示すように、布材からなる肩当体外被６ｃ内にウレタン材等からなる内装材１２を内装し、前記枕本体２よりも薄厚の略直方体状に形成され、かつ、前記枕本体２の一辺左隅部に逢着等で取り付けられている。
【００１９】
また、肩当体６ａ内には、肩部刺激体であるバイブレータ１１を使用者Ｍの左側の肩甲骨及びその周辺の三角筋、広背筋、棘上筋、棘下筋等の筋肉類を含む肩部領域１３に対応する配置で内装している。
【００２０】
右側の肩当体６ｂは、前記左側の肩当体６ａと同一構造（バイブレータ１１を内装）で、かつ、肩当体６ａと対称配置に前記枕本体２の一辺右隅部に逢着等で取り付けられている。
【００２１】
前記バイブレータ９、１０、及び前記両肩当体６ａ、６ｂ内の２個のバイブレータ１１は、各々例えば電磁石とこの電磁石の磁力の有無により所定の振動数で振動する振動板との組み合わせからなる公知のものである。
【００２２】
そして、図４に示すように、これら各バイブレータ９乃至１１に一端を接続し肩当体付き枕１の外部に引き出した接続ケーブル１４に電源スイッチ付きの駆動回路部１５、タイマー１６を接続し、かつ、駆動回路部１５にＡＣプラグ１７付きの電源ケーブル１８を接続して、商用電源（ＡＣ１００Ｖ）からの電力により前記各バイブレータ９乃至１１を各々振動させるとともに、前記タイマー１６による時限設定により各バイブレータ９乃至１１を各々１分、３分、５分等の時限駆動を行なうように構成している。
【００２３】
次に、本実施例１に係る肩当体付き枕１の作用、効果について、図２をも参照して説明する。
【００２４】
図２に示すように、使用者Ｍが就寝する際又は休憩する際に、例えば布団２０（又はベッド）の一端側に前記肩当体付き枕１を載置し、この肩当体付き枕１の枕本体２上に頭部３及び首部５を、左右の肩当体６ａ、６ｂ上に各々左右の各肩部領域１３を当接させ、仰臥状態の体勢をとる。
【００２５】
この状態で、電源スイッチを入れ、タイマー１６により１分、３分、５分等の時限設定を行なうことで、前記各バイブレータ９乃至１１が各々設定時間振動する。
【００２６】
これにより、前記枕本体２内のバイブレータ９により、使用者Ｍの後頭骨を含む後頭部４に振動による刺激が設定時間の間付与され、バイブレータ１０により、使用者Ｍの頸椎を含む首部５に振動による刺激が設定時間の間付与され、更に、左右で２個のバイブレータ１１により使用者Ｍの左右の肩甲骨及びその周辺の三角筋、広背筋、棘上筋、棘下筋等の筋肉類を含む肩部領域１３に各々刺激が設定時間の間付与される。
【００２７】
この場合、使用者Ｍの頸椎を含む首部５に振動による刺激を付与するバイブレータ１０を備えることにより、首部５における「天柱」や「風池」等と称されるいわゆるツボ部への刺激を行なって、首部５の血行促進、疲労回復を効果的に図ることが可能となる。
【００２８】
このようにして、本実施例１に係る肩当体付き枕１によれば、就寝時、休憩時等において、使用者Ｍは、後頭部４、首部５及び左右の肩部領域１３への振動による刺激付与を一度に行ない、血行促進、疲労回復、肩凝り解消を効果的に図ることができる。
【００２９】
また、本実施例１によれば、枕本体２と、左右一対の肩当体６ａ、６ｂとを具備し、これらに各々バイブレータ９乃至１１を内装しただけの簡略構成で、安価に製造できる肩当体付き枕１とすることができる。
【００３０】
（実施例２）
図５を参照して本考案の実施例２に係る肩当体付き枕１Ａについて説明する。
【００３１】
本実施例２に係る肩当体付き枕１Ａは、実施例１の場合と同様に構成した使用者Ｍが仰臥状態においてその頭部３における後頭骨を含む後頭部４及び頸椎を含む首部５を上側から当接させる枕本体２１と、前記枕本体２の一辺から同一方向に突出配置し、使用者Ｍの左右の各肩部領域１３に各々当接させる実施例１の場合と同様に構成した左右一対の肩当体２５と、を有している。なお、図５には、左肩用の肩当体２５のみを示す。
【００３２】
前記枕本体２１は、その内部に使用者Ｍの後頭骨を含む後頭部４及び頸椎を含む首部５に弾力による刺激を与える刺激体であるコイルバネ体２２、２３を内装している。
【００３３】
左右一対の肩当体２５は、左右の肩甲骨及びその周辺の三角筋、広背筋、棘上筋、棘下筋等の筋肉類を含む左右の肩部領域１３に弾力による刺激を与える左右で２個の刺激体であるコイルバネ体２４を各々内装している。
【００３４】
次に、本実施例２に係る肩当体付き枕１Ａの作用、効果について説明する。
【００３５】
本実施例２に係る肩当体付き枕１Ａにおいては、使用者Ｍが就寝する際又は休憩する際に、例えば布団２０（又はベッド）の一端側に前記肩当体付き枕１Ａを載置し、この肩当体付き枕１Ａの枕本体２１上に頭部３及び首部５を、左右の肩当体２５上に各々左右の各肩部領域１３を当接させ、仰臥状態の体勢をとる。
【００３６】
これにより、前記枕本体２１内のコイルバネ体２２により使用者Ｍの後頭骨を含む後頭部４に弾力的な刺激が付与され、コイルバネ体２３により使用者Ｍの頸椎を含む首部５に弾力的な刺激が付与され、左右で２個のコイルバネ体２４により使用者Ｍの左右の肩甲骨及びその周辺の三角筋、広背筋、棘上筋、棘下筋等の筋肉類を含む肩部領域１３に各々弾力的な刺激が付与される。
【００３７】
この結果、使用者Ｍの就寝時、休憩時等において、後頭部４、首部５及び左右の肩部領域１３へのコイルバネ体２２乃至２４の弾力を利用した刺激付与を一度に行ない、血行促進、疲労回復、肩凝り解消を効果的に図ることができる。
【００３８】
また、本実施例２によれば、枕本体２１と、左右一対の肩当体２５とを具備し、これらに各々コイルバネ体２２乃至２４を内装しただけの簡略構成で、安価に製造できる肩当体付き枕１Ａとすることができる。
【００３９】
（実施例３）
図６を参照して本考案の実施例３に係る肩当体付き枕１Ｂについて説明する。
【００４０】
本実施例３に係る肩当体付き枕１Ｂは、実施例１の場合と同様に構成した使用者Ｍが仰臥状態においてその頭部３における後頭骨を含む後頭部４及び頸椎を含む首部５を上側から当接させる枕本体３１と、前記枕本体３１の一辺から同一方向に突出配置し、使用者Ｍの左右の各肩部領域１３に各々当接させる実施例１の場合と同様に構成した左右一対の肩当体３５とを有している。なお、図６には、左肩用の肩当体３５のみを示す。
【００４１】
前記枕本体３１は、その内部に使用者Ｍの後頭骨を含む後頭部４及び頸椎を含む首部５に刺激を与える例えば棒状又は塊状の刺激体である炭体３２、３３を内装している。
【００４２】
左右一対の肩当体２５は、左右の肩甲骨及びその周辺の三角筋、広背筋、棘上筋、棘下筋等の筋肉類を含む左右の肩部領域１３に刺激を与える左右で２個の例えば棒状又は塊状の刺激体である炭体３４を内装している。
【００４３】
前記炭体３２乃至３４としては、プラスイオンを吸収作用、遠赤外線放出作用による血行促進が期待できる竹炭、備長炭等を使用する例を挙げることができる。
【００４４】
次に、本実施例３に係る肩当体付き枕１Ｂの作用、効果について説明する。
【００４５】
本実施例３に係る肩当体付き枕１Ｂにおいては、使用者Ｍが就寝する際又は休憩する際に、例えば布団２０（又はベッド）の一端側に前記肩当体付き枕１Ａを載置し、この肩当体付き枕１Ａの枕本体３１上に頭部３及び首部５を、左右の肩当体３５上に各々左右の各肩部領域１３を当接させ、仰臥状態の体勢をとる。
【００４６】
これにより、前記枕本体３１内の炭体３２により使用者Ｍの後頭骨を含む後頭部４に刺激が付与され、炭体３３により使用者Ｍの頸椎を含む首部５に刺激が付与され、左右で２個の炭体３４により使用者Ｍの左右の肩甲骨及びその周辺の三角筋、広背筋、棘上筋、棘下筋等の筋肉類を含む肩部領域１３に各々刺激が付与される。
【００４７】
この結果、使用者Ｍの就寝時、休憩時等において、後頭部４、首部５及び左右の肩部領域１３への前記炭体３２乃至３４を利用したプラスイオン吸収作用、遠赤外線放出作用による刺激付与を一度に行ない、血行促進、疲労回復、肩凝り解消を効果的に図ることができる。
【００４８】
また、本実施例３によれば、枕本体３１と、左右一対の肩当体３５とを具備し、これらに各々炭体３２乃至３４を内装しただけの簡略構成で、安価に製造できる肩当体付き枕１Ｂとすることができる。
【産業上の利用可能性】
【００４９】
本考案は、上述したような就寝時、休憩時等に使用する枕、肩当として適用する他、枕部分、肩当部分に上述した構成を含む全身のマッサージ機、リハビリ用機器等を構成する等の応用が可能である。
【図面の簡単な説明】
【００５０】
【図１】本考案の実施例１に係る肩当体付き枕の外観を示す概略斜視図である。外観斜視図
【図２】本実施例１に係る肩当体付き枕の使用状態を示す概略斜視図である。
【図３】本実施例１に係る肩当体付き枕の概略断面図である。
【図４】本実施例１に係る肩当体付き枕のバイブレータの回路構成図である。
【図５】本考案の実施例２に係る肩当体付き枕の概略断面図である。
【図６】本考案の実施例３に係る肩当体付き枕の概略断面図である。
【符号の説明】
【００５１】
１    肩当体付き枕
１Ａ  肩当体付き枕
１Ｂ  肩当体付き枕
２    枕本体
３    頭部
４    後頭部
５    首部
６ａ  肩当体
６ｂ  肩当体
６ｃ  肩当体外被
７    外被
８    内装材
９    バイブレータ
１０    バイブレータ
１１    バイブレータ
１２    内装材
１３    肩部領域
１４    接続ケーブル
１５    駆動回路部
１６    タイマー
１７    ＡＣプラグ
１８    電源ケーブル
２０    布団
２１    枕本体
２２    コイルバネ体
２３    コイルバネ体
２４    コイルバネ体
２５    肩当体
３１    枕本体
３２    炭体
３３    炭体
３４    炭体
３５    肩当体
Ｍ    使用者
【図１】
0003149102.tif 000003
【図２】
0003149102.tif 000004
【図３】
0003149102.tif 000005
【図４】
0003149102.tif 000006
【図５】
0003149102.tif 000007
【図６】
0003149102.tif 000008